(57)【特許請求の範囲】
【請求項１】
インターネット上のホームページで、システム管理会社が雨傘の滴取り機の設置と運営を行うシステムであって、そのホームページのプログラムを作動させるサーバコンピュータは、表面に広告を施した雨傘の滴取り機を無料で設置・運営を行うこと及びその設置希望者の申し込み募集とそれを電子メールで受付ける旨表示を行う設置広告表示部と、設置希望者からの電子メールによる申し込みを受ける設置申し込み受付電子メール部と、設置の申し込みに基づいて滴取り機毎の設置場所や台数を表示して雨傘の滴取り機の表面に有料で掲載する広告の広告主を募集すること及びその広告申し込みを電子メールで受け付ける旨の表示を行う広告主募集表示部と、電子メールによる広告申し込みを受ける広告申し込み受付電子メール部と、前記設置申し込み受付電子メール部及びその設置先の雨傘の滴取り機に対する広告申し込み受付電子メール部への申し込みが発生して広告付雨傘の滴取り機の設置が成立したときに、雨傘の滴取り機の設置・管理を行う機器管理会社にその雨傘滴取り機の設置・運営の依頼と設置場所・台数の情報を伝達する申し込み伝達部と、を有し、広告が付された雨傘の滴取り機が設置されるとその情報がシステム管理会社にホームページを介して伝達されてシステム管理会社が広告主に費用を請求できるようにすることで、有料広告を施した雨傘の滴取り機の無料配置を行えるようにすることを特徴とする雨傘の滴取り機の設置運営システム。
【請求項２】
機器管理会社への依頼に雨傘滴取り機の広告のデザインと広告を施すことも含ませた請求項１記載の雨傘の滴取り機の設置運営システム。
【発明の詳細な説明】
【０００１】
【発明の属する技術分野】
本発明は、インターネットのホームページと通信技術を使用して雨傘の滴取り機を広く設置し易くするシステムであって、雨傘の滴取り機の普及によってゴミとして大量に発生し且つ、公害防止の特別な廃棄処理を必要とする滴取りのビニール袋の使用を少なくするための技術に関する。
【０００２】
【従来の技術】
従来、雨傘が雨の中で使用されると水に濡れ、傘の滴が室内を汚さないように建物内に入る玄関口にビニール袋を置いて、ビニール袋中に傘を収めて滴が落ちるのを防止している。しかしながら、このビニール袋は大量のゴミを発生させ、又焼却処分するには特別の公害防止の廃棄処理を必要とするものであった。
一方、雨傘の表面に付着した水を空気流・振動等で振り落して傘の滴を取る滴取り機も開発されて製品化されているが、高価であることメンテナンス費用が必要なことから普及が進んでいないのが現状である。
【０００３】
【発明が解決しようとする課題】
本発明が解決しようとする課題は、従来のこれらの問題点を解消し、特別な公害処理が必要で資源の無駄となるビニール袋の使用を少なくし、雨傘の滴取り機の普及と設置拡大を効果的に行えるシステムを提供することにある。
【０００４】
【課題を解決するための手段】
かかる課題を解決した本発明の構成は、
１）  インターネット上のホームページで、システム管理会社が雨傘の滴取り機の設置と運営を行うシステムであって、そのホームページのプログラムを作動させるサーバコンピュータは、表面に広告を施した雨傘の滴取り機を無料で設置・運営を行うこと及びその設置希望者の申し込み募集とそれを電子メールで受付ける旨表示を行う設置広告表示部と、設置希望者からの電子メールによる申し込みを受ける設置申し込み受付電子メール部と、設置の申し込みに基づいて滴取り機毎の設置場所や台数を表示して雨傘の滴取り機の表面に有料で掲載する広告の広告主を募集すること及びその広告申し込みを電子メールで受け付ける旨の表示を行う広告主募集表示部と、電子メールによる広告申し込みを受ける広告申し込み受付電子メール部と、前記設置申し込み受付電子メール部及びその設置先の雨傘の滴取り機に対する広告申し込み受付電子メール部への申し込みが発生して広告付雨傘の滴取り機の設置が成立したときに、雨傘の滴取り機の設置・管理を行う機器管理会社にその雨傘滴取り機の設置・運営の依頼と設置場所・台数の情報を伝達する申し込み伝達部と、を有し、広告が付された雨傘の滴取り機が設置されるとその情報がシステム管理会社にホームページを介して伝達されてシステム管理会社が広告主に費用を請求できるようにすることで、有料広告を施した雨傘の滴取り機の無料配置を行えるようにすることを特徴とする雨傘の滴取り機の設置運営システム
２）  機器管理会社への依頼に雨傘滴取り機の広告のデザインと広告を施すことも含ませた前記１）記載の雨傘の滴取り機の設置運営システムにある。
【０００５】
【発明の実施の形態】
本発明は、インターネット上のホームページと電子メール機能を使用して本発明の雨傘の滴取り機の設置運営システムを管理するシステム管理会社と、インターネットを介して募集して雨傘の滴取り機を無料で設置することができる不特定のインター通信機能を有する機器設置会社と、雨傘の滴取り機に有料の広告を掲載する広告主と、雨傘の滴取り機を運送・設置し、又メンテナンスを行い、又雨傘の滴取り機を設置・運営を行う機器管理会社との間での取り引きを行うシステムであり、機器設置会社は無料で雨傘の滴取り機が設置でき、無料（あっても電気代程のきわめて安価なメンテナンス費用）で使用できる。又、広告主は、不特定の多くの会社の玄関口の付近に自己の会社広告を比較的に安価にできる。
本発明のシステム管理会社は、広告主からの手数料で収益を得、機器管理会社は、システム管理会社から収入を得る。本システムでは四者にとっていずれも有益となって、雨傘の滴取り機の普及を安易ならしめる。
このシステムで傘の滴取り機が普及することで産業廃棄物となるビニール袋の使用量を減らすことができる。
本発明の雨傘の滴取り機は、市販の空気流・振動・回転等を用いた公知のものが使用される。
【０００６】
【実施例】
以下、本発明の実施例を図面に基づいて説明する。
図１は、実施例のハード構成図である。
図２は、実施例のプログラムソフトの構成図である。
図３は、実施例の通信手順を示す説明図である。
図４，５は、実施例のプログラムのフローチャート図である。
図６は、実施例の商取引形態を示す説明図である。
図７，８は、実施例のホームページの表示画面である。
【０００７】
図中、Ａは本発明の雨傘の滴取り機の設置管理システムのホームページＨＰを運営するシステム管理会社、Ｂは雨傘を設置することを希望する機器設置会社、Ｃは雨傘の滴取り機Ｍの表面に広告する広告主、Ｄは滴取り機Ｍを機器設置会社Ｂへ運送して設置し、又メンテナンスを行う機器管理会社、Ｐは本発明の雨傘の滴取り機の設置管理システムのホームページプログラム、Ｐ０はホームページ及びインターネット通信・電子メール通信を制御するホームページ基本ソフト部、Ｐ１は設置広告表示部、Ｐ２は設置申し込み受付電子メール部、Ｐ３は広告主募集表示部、Ｐ４は広告申し込み受付電子メール部、Ｐ５は申し込み伝達部、Ｍは遠心脱水を空気吹付けによる雨傘の滴取りを行う雨傘の滴取り機、Ｋは同滴取り機の表面に施した広告、Ｕは雨傘である。
【０００８】
又、図中１は、インターネット回線、２は本発明の雨傘の滴取り機の設置運営システムのプログラム及びホームページソフトを作動させるサーバコンピュータ、２ａはそのＣＰＵ、２ｂはＨＤＤ、２ｃはディスプレイ、２ｄはキーボード、２ｅはマウス、２ｆはＲＯＭ、２ｇはＲＡＭ、２ｈはインターネット等のネット通信器、２ｊはインターフェース、３は設置を申し込む機器設置会社Ｂの電子メールが行えるインターネットパソコン、４は広告主Ｃの電子メールが行えるインターネットパソコン、５は機器管理会社Ｄの電子メールが行えるインターネットパソコンである。
【０００９】
この実施例ではホームページＨＰ上で設置広告表示部Ｐ１のプログラムが作動し、図７に示すように雨傘Ｕの滴取り器Ｍの無料（無償）の設置を募る旨の画面が出力される。この画面に申し込みのボタンＳ１が表示され、電子メールが行えるようになっている。
この無料設置を募る画面をみたビル・マンション・公共建造物等のオーナー・管理者，企業，公共団体は、設置したいと判断すれば画面上で申し込み者の住所・氏名・設置場所・連絡先・台数等を入力し、設置申し込みのボタンＳ１をクリックする。これによって設置申し込み受付電子メール部Ｐ２が作動し、申し込み者（機器設置会社Ｂ）の電子メールアドレス・住所・氏名・設置場所・連絡先電話番号等の情報がＨＰのシステム管理者へ通知され、ＨＤＤ２ｂに記憶される。
【００１０】
又ＨＰページの表示画面には、広告主募集表示部Ｐ３の作動によって、設置する雨傘の滴取り機Ｍに広告を募集する旨の画面（図８）があり、画面には滴取り機毎の設置場所・位置・台数が前記設置の申し込み情報に基づいて表示がなされる。
広告を見た者が雨傘の滴取り機Ｍにその者の広告を掲示したいと判断したら、広告の表示画面にある広告主の電子メール・名前・住所連絡先・設置場所・台数等の入力事項の欄に入力し、その表示にある雨傘の滴取り機Ｍの欄の広告申し込みボタンＳ２をクリックする。
広告申し込みボタンＳ２をクリックすると広告申し込み受付電子メール部Ｐ４が作動し、広告主Ｃと申し込みの情報がシステム管理会社Ａへ電子メールで送られる。
【００１１】
設置申し込みと、その設置先の雨傘の滴取り機Ｍに広告する広告主Ｃとが発生すると、申し込み伝達部Ｐ５が作動し機器管理会社Ｄへ雨傘の滴取り機Ｍの設置場所・詳細位置・機器設置会社Ｂ・広告主Ｃの名前・住所・連絡先・担当者名等の情報が伝達される。
【００１２】
機器設置会社Ｄがこれら申し込み情報を入手すると、その会社の担当者は機器設置会社Ｂ，広告主Ｃへ電話・ＦＡＸ・電子メール等を使用して連絡をとって詳細情報を入手し、雨傘の滴取り機の設置・広告の印刷を行う。これらの連絡はサーバコンピュータ１のホームページＨＰ，電子メール部を介して連絡もできるようになっている。
広告が付された雨傘の滴取り機が設置されると、その設置状況の写真・詳細情報が広告主Ｃ及びシステム管理会社ＡへホームページＨＰ，電子メールを介して伝達される。
これらの通信、やりとりの手段を図３〜６に示している。
この滴取り機Ｍ設置完了の通知があると、システム管理会社Ａは広告主Ｃへ費用請求し、機器管理会社Ｄへ設置・広告印刷・メンテナンス運営費等の支払いを行う。
【００１３】
雨傘の滴取り機Ｍの無料設置を受けた機器設置会社Ｂは、設置後無料でこの機器を使用でき、ビニール袋を使用しなくて済むようになり、ビニール袋のコストの無駄を省き、又ビニール袋の廃棄処理費もなくなる。傘をもっている者もビニール袋への出入れをせずに水を切って乾燥した傘となるので雨傘の運び・保管も容易となる。
以上の様に、傘を持っている者を含めて関係５者とも有用なものとなっている。
【００１４】
尚、上記において機器管理会社Ｄは積極的にこのシステムの営業を行って、機器設置会社Ｂ，広告主Ｃの顧客を拡大し、又その申し込みの代行業務を併せて行うこともできるようにしてもよい。
【００１５】
【発明の効果】
以上の様に、本発明によれば、このホームページ上で雨傘の滴取り機設置運営システムを採用することで、雨傘の滴取り機の設置個所を大きく拡げることができ、ビル・マンション・公共施設の所有者，使用者，広告主，システム管理会社，機器管理会社とも有用であり、又滴取り機の設置個所が無理なく多くでき、よって、ビニール袋の消費が低減でき、資源の無駄及び公害廃棄物の量の増大を防ぐことができる。
【図面の簡単な説明】
【図１】実施例のハード構成図である。
【図２】実施例のプログラムソフトの構成図である。
【図３】実施例の通信手順を示す説明図である。
【図４】実施例のプログラムのフローチャート図である。
【図５】実施例のプログラムのフローチャート図である。
【図６】実施例の商取引形態を示す説明図である。
【図７】実施例のホームページの表示画面である。
【図８】実施例のホームページの表示画面である。
【符号の説明】
Ｐ  ホームページプログラム
Ｐ０  ホームページ基本ソフト部
Ｐ１  設置広告表示部
Ｐ２  設置申し込み受付電子メール部
Ｐ３  広告主募集表示部
Ｐ４  広告申し込み受付電子メール部
Ｐ５  申し込み伝達部
Ｕ  雨傘
Ｍ  雨傘の滴取り機
Ｋ  広告
Ａ  システム管理会社
Ｂ  機器設置申し込み会社
Ｃ  広告申し込み主
Ｄ  機器管理会社
Ｓ１  設置申し込みボタン
Ｓ２  広告申し込みボタン
１  インターネット回線
２  サーバコンピュータ
２ａ  ＣＰＵ
２ｂ  ＨＤＤ
２ｃ  ディスプレイ
２ｄ  キーボード
２ｅ  マウス
２ｆ  ＲＯＭ
２ｇ  ＲＡＭ
２ｈ  ネット通信器
２ｊ  インターフェース
【図１】
0004694724.tif 000002
【図２】
0004694724.tif 000003
【図３】
0004694724.tif 000004
【図４】
0004694724.tif 000005
【図５】
0004694724.tif 000006
【図６】
0004694724.tif 000007
【図７】
0004694724.tif 000008
【図８】
0004694724.tif 000009